(57)【特許請求の範囲】
【請求項１】
昇降機が移動可能な範囲を示す移動範囲図形を表示画面に表示させる移動範囲図形表示部と、
前記昇降機が停止する停止階又は前記昇降機が停止しない非停止階を示す運行情報に基づいて、前記移動範囲図形における、前記昇降機が停止する範囲を示す１又は複数の停止範囲と前記昇降機が停止しない範囲を示す非停止範囲とを区分する停止範囲区分部と、
停止範囲区分部によって区分された前記各停止範囲について、当該停止範囲に対応する停止階における最上階を示す最上階情報と最下階を示す最下階情報とを含み、且つ、当該停止階における一部の停止階を示す情報を含まない停止階情報を、前記移動範囲図形における当該停止範囲に並べて前記表示画面に表示させる停止階表示部と、
を備え、
前記停止階表示部は、前記各停止範囲について、当該停止範囲に対応する停止階が１つである場合は、当該１つの停止階を示す前記停止階情報を、前記移動範囲図形における当該停止範囲に並べて前記表示画面に表示させ、当該停止範囲に対応する停止階が２つである場合は、当該２つの停止階における上方の停止階を示す情報を前記最上階情報とし、また、下方の停止階を示す情報を前記最下階情報とした前記停止階情報を、前記移動範囲図形における当該停止範囲に並べて前記表示画面に表示させ、当該停止範囲に対応する停止階が３つ以上である場合は、当該３つ以上の停止階における最上階を示す前記最上階情報と最下階を示す前記最下階情報とを含み、且つ、当該停止階における一部の停止階を示す情報を含まない前記停止階情報を、前記移動範囲図形における当該停止範囲に並べて前記表示画面に表示させること
を特徴とする表示制御装置。
【請求項２】
昇降機が移動可能な範囲を示す移動範囲図形を表示画面に表示させる移動範囲図形表示部と、
前記昇降機が停止する停止階又は前記昇降機が停止しない非停止階を示す運行情報に基づいて、前記移動範囲図形における、前記昇降機が停止する範囲を示す１又は複数の停止範囲と前記昇降機が停止しない範囲を示す非停止範囲とを区分する停止範囲区分部と、
停止範囲区分部によって区分された前記各停止範囲について、当該停止範囲に対応する停止階における最上階を示す最上階情報と最下階を示す最下階情報とを含み、且つ、当該停止階における一部の停止階を示す情報を含まない停止階情報を、前記移動範囲図形における当該停止範囲に並べて前記表示画面に表示させる停止階表示部と、
を備え、
前記停止階表示部は、前記各停止範囲の前記表示画面における垂直方向の長さと、前記停止階情報として当該表示画面に表示される文字の当該垂直方向の長さとに基づいて、前記各停止範囲に対応する停止階を示す前記停止階情報が互いに重ならないように前記各停止範囲に対応する停止階を示す前記停止階情報を表示させること
を特徴とする表示制御装置。
【請求項３】
前記停止階表示部は、前記各停止範囲について、当該停止範囲に対応する停止階が１つであり、且つ、当該停止階を示す前記停止階情報として前記表示画面に表示される文字の前記垂直方向の長さが、当該停止範囲の当該垂直方向の長さ以下である場合、当該停止階情報を前記移動範囲図形における当該停止範囲に並べて表示させること
を特徴とする請求項２記載の表示制御装置。
【請求項４】
前記停止階表示部は、前記各停止範囲について、当該停止範囲に対応する停止階が複数であり、且つ、当該停止階を示す前記停止階情報として前記表示画面に表示される文字の前記垂直方向の長さが、当該停止範囲の当該垂直方向の長さ以下であり、且つ、当該停止階情報に含まれる前記最上階情報として前記表示画面に表示される文字の当該垂直方向の長さ、及び、当該停止階情報に含まれる前記最下階情報として前記表示画面に表示される文字の当該垂直方向の長さを加算した長さが、当該停止範囲の当該垂直方向の長さより長い場合、当該停止階情報に含まれる前記最上階情報と前記最下階情報とを１行の文字列により前記移動範囲図形における当該停止範囲に並べて表示させること
を特徴とする請求項２記載の表示制御装置。
【請求項５】
前記停止階表示部は、前記各停止範囲について、当該停止範囲に対応する停止階が複数であり、且つ、当該停止階を示す前記停止階情報に含まれる前記最上階情報として前記表示画面に表示される文字の前記垂直方向の長さ、及び、当該停止階情報に含まれる前記最下階情報として当該表示画面に表示される文字の当該垂直方向の長さを加算した長さが、当該停止範囲の当該垂直方向の長さ以下である場合、当該停止階情報に含まれる前記最上階情報と前記最下階情報とを、当該垂直方向において互いに離れた位置に、前記移動範囲図形における当該停止範囲にそれぞれ並べて表示させること
を特徴とする請求項２記載の表示制御装置。
【請求項６】
前記停止階表示部は、前記停止階情報に含まれる前記最上階情報を、前記停止範囲における最上階に対応する位置に表示させ、当該停止階情報に含まれる前記最下階情報を、当該停止範囲における最下階に対応する位置に表示させること
を特徴とする請求項５記載の表示制御装置。
【請求項７】
昇降機が移動可能な範囲を示す移動範囲図形を表示画面に表示させる移動範囲図形表示部と、
前記昇降機が停止する停止階又は前記昇降機が停止しない非停止階を示す運行情報に基づいて、前記移動範囲図形における、前記昇降機が停止する範囲を示す１又は複数の停止範囲と前記昇降機が停止しない範囲を示す非停止範囲とを区分する停止範囲区分部と、
停止範囲区分部によって区分された前記各停止範囲について、当該停止範囲に対応する停止階における最上階を示す最上階情報と最下階を示す最下階情報とを含み、且つ、当該停止階における一部の停止階を示す情報を含まない停止階情報を、前記移動範囲図形における当該停止範囲に並べて前記表示画面に表示させる停止階表示部と、
を備え、
前記停止階表示部は、前記各停止範囲の前記表示画面における垂直方向の長さと、前記各停止範囲と隣り合う前記非停止範囲の当該垂直方向の長さと、前記停止階情報として当該表示画面に表示される文字の当該垂直方向の長さとに基づいて、前記各停止範囲に対応する停止階を示す前記停止階情報が互いに重ならないように前記各停止範囲に対応する停止階を示す前記停止階情報を表示させること
を特徴とする表示制御装置。
【請求項８】
前記停止階表示部は、前記各停止範囲について、当該停止範囲に対応する停止階を示す前記停止階情報として前記表示画面に表示される文字の前記垂直方向の長さが、当該停止範囲の当該垂直方向の長さより長く、且つ、当該文字の当該垂直方向の長さが、当該停止範囲の当該垂直方向の長さ及び当該停止範囲と隣り合う前記非停止範囲の当該垂直方向の長さを加算した長さ以下である場合、当該停止階情報を１行の文字列により前記移動範囲図形における当該停止範囲に並べて表示させること
を特徴とする請求項７記載の表示制御装置。
【請求項９】
前記停止階表示部は、前記移動範囲図形における前記昇降機が移動する方向の一端から数えてｎ番目（ｎは自然数）の前記停止範囲に対応する停止階を示す前記停止階情報として前記表示画面に表示される文字の前記垂直方向の長さｃｎが、当該ｎ番目の停止範囲の当該垂直方向の長さｓｎ、及び、当該ｎ番目の前記停止範囲と前記一端から数えてｎ＋１番目の前記停止範囲とに挟まれる前記非停止範囲の当該垂直方向の長さｔｎを加算した長さＨｎより長い場合、当該長さＨｎから、前記一端から数えてｎ＋ｋ番目（ｋは自然数）の前記停止範囲の当該垂直方向の長さｓｎ＋ｋ、及び当該ｎ＋ｋ番目の前記停止範囲と前記一端から数えてｎ＋ｋ＋１番目の前記停止範囲とに挟まれる前記非停止範囲の当該垂直方向の長さｔｎ＋ｋを加算した長さＨｎ＋ｋまでを順次加算した長さＴｎ〜ｎ＋ｋ（Ｔｎ〜ｎ＋ｋ＝Ｈｎ＋Ｈｎ＋１＋Ｈｎ＋２＋・・・＋Ｈｎ＋ｋ）が、最初に、当該ｎ番目から当該ｎ＋ｋ番目までの前記各停止範囲に対応する停止階を示す前記停止階情報として表示される文字の当該垂直方向の長さの最大値ｍａｘｃｎ〜ｎ＋ｋ以上となる当該ｎ＋ｋを取得し、当該ｎ番目から当該ｎ＋ｋ番目までの前記各停止範囲に対応する停止階を示す全ての前記停止階情報を、当該ｎ番目の停止範囲から当該ｎ＋ｋ番目の停止範囲までに亘る範囲に並べて表示させること
を特徴とする請求項７記載の表示制御装置。
【請求項１０】
前記停止階表示部は、前記ｎ＋ｋ番目の前記停止範囲に対応する停止階が複数であり、且つ、前記最大値ｍａｘｃｎ〜ｎ＋ｋと当該ｎ＋ｋ番目の前記停止範囲に対応する停止階を示す前記停止階情報として表示される文字の前記垂直方向の長さｃｎ＋ｋとを加算した長さが、前記長さＴｎ〜ｎ＋ｋから前記長さｔｎ＋ｋを減じた長さより長い場合、前記ｎ番目から当該ｎ＋ｋ番目までの前記各停止範囲に対応する停止階を示す全ての前記停止階情報を１行の文字列により表示させること
を特徴とする請求項９記載の表示制御装置。
【請求項１１】
前記停止階表示部は、前記ｎ＋ｋ番目の前記停止範囲に対応する停止階が複数であり、且つ、前記最大値ｍａｘｃｎ〜ｎ＋ｋと当該ｎ＋ｋ番目の前記停止範囲に対応する停止階を示す前記停止階情報として表示される文字の当該垂直方向の長さｃｎ＋ｋとを加算した長さが、前記長さＴｎ〜ｎ＋ｋから前記長さｔｎ＋ｋを減じた長さ以下である場合、当該ｎ＋ｋ番目の前記停止範囲に対応する停止階を示す前記停止階情報に含まれる前記最上階情報と前記最下階情報とを、当該垂直方向において互いに離れた位置に表示させること
を特徴とする請求項９記載の表示制御装置。
【請求項１２】
前記停止階表示部は、前記ｎ＋ｋ番目の前記停止範囲に対応する停止階を示す前記停止階情報に含まれる前記最上階情報を、前記ｎ番目の前記停止範囲から当該ｎ＋ｋ番目の前記停止範囲までに亘る範囲における上端に対応する位置に表示させ、当該停止階情報に含まれる前記最下階情報を、当該範囲における下端に対応する位置に表示させること
を特徴とする請求項１１記載の表示制御装置。
【請求項１３】
昇降機が移動可能な範囲を示す移動範囲図形を表示画面に表示させる移動範囲図形表示部と、
前記昇降機が停止する停止階又は前記昇降機が停止しない非停止階を示す運行情報に基づいて、前記移動範囲図形における、前記昇降機が停止する範囲を示す１又は複数の停止範囲と前記昇降機が停止しない範囲を示す非停止範囲とを区分する停止範囲区分部と、
停止範囲区分部によって区分された前記各停止範囲について、当該停止範囲に対応する停止階における最上階を示す最上階情報と最下階を示す最下階情報とを含み、且つ、当該停止階における一部の停止階を示す情報を含まない停止階情報を、前記移動範囲図形における当該停止範囲に並べて前記表示画面に表示させる停止階表示部と、
を備え、
前記停止階表示部は、複数の前記停止範囲に対応する停止階を示す複数の前記停止階情報を１行の文字列により表示させる際に、当該複数の前記停止階情報のうち、互いに異なる前記停止階情報と前記停止階情報との間に、予め定められた文字又は記号を挿入して、当該複数の前記停止階情報を表示させること
を特徴とする表示制御装置。
【請求項１４】
昇降機が移動可能な範囲を示す移動範囲図形を表示画面に表示させる移動範囲図形表示部と、
前記昇降機が停止する停止階又は前記昇降機が停止しない非停止階を示す運行情報に基づいて、前記移動範囲図形における、前記昇降機が停止する範囲を示す１又は複数の停止範囲と前記昇降機が停止しない範囲を示す非停止範囲とを区分する停止範囲区分部と、
停止範囲区分部によって区分された前記各停止範囲について、当該停止範囲に対応する停止階における最上階を示す最上階情報と最下階を示す最下階情報とを含み、且つ、当該停止階における一部の停止階を示す情報を含まない停止階情報を、前記移動範囲図形における当該停止範囲に並べて前記表示画面に表示させる停止階表示部と、
前記各停止範囲に対応する停止階を示す線分を、前記表示画面における垂直方向に伸びる直線に重なるように、前記移動範囲図形における当該停止範囲に並べて当該表示画面に表示させる線分表示部と、
を備えたこと
を特徴とする表示制御装置。
【請求項１５】
前記停止階表示部は、前記最上階情報の後、又は、前記最下階情報の前に予め定められた文字又は記号を挿入して、前記停止階情報を表示させること
を特徴とする請求項１、請求項２、請求項７、請求項１３、又は、請求項１４のうちのいずれか１項記載の表示制御装置。
【請求項１６】
現在の前記昇降機の運行状況を示す情報を前記表示画面に表示させる昇降機位置表示部を備えたこと
を特徴とする請求項１、請求項２、請求項７、請求項１３、又は、請求項１４のうちのいずれか１項記載の表示制御装置。
【請求項１７】
請求項１から請求項１６のうちのいずれか１項記載の表示制御装置を備えた昇降機システム監視装置。
【請求項１８】
移動範囲図形表示部が、昇降機が移動可能な範囲を示す移動範囲図形を表示画面に表示させ、
停止範囲区分部が、前記昇降機が停止する停止階又は前記昇降機が停止しない非停止階を示す運行情報に基づいて、前記移動範囲図形における、前記昇降機が停止する範囲を示す１又は複数の停止範囲と前記昇降機が停止しない範囲を示す非停止範囲とを区分し、
停止階表示部が、前記停止範囲区分部によって区分された前記各停止範囲について、当該停止範囲に対応する停止階における最上階を示す最上階情報と最下階を示す最下階情報とを含み、且つ、当該停止階における一部の停止階を示す情報を含まない停止階情報を、前記移動範囲図形における当該停止範囲に並べて前記表示画面に表示させる表示制御方法であって、
前記停止階表示部は、前記各停止範囲について、当該停止範囲に対応する停止階が１つである場合は、当該１つの停止階を示す前記停止階情報を、前記移動範囲図形における当該停止範囲に並べて前記表示画面に表示させ、当該停止範囲に対応する停止階が２つである場合は、当該２つの停止階における上方の停止階を示す情報を前記最上階情報とし、また、下方の停止階を示す情報を前記最下階情報とした前記停止階情報を、前記移動範囲図形における当該停止範囲に並べて前記表示画面に表示させ、当該停止範囲に対応する停止階が３つ以上である場合は、当該３つ以上の停止階における最上階を示す前記最上階情報と最下階を示す前記最下階情報とを含み、且つ、当該停止階における一部の停止階を示す情報を含まない前記停止階情報を、前記移動範囲図形における当該停止範囲に並べて前記表示画面に表示させること
を特徴とする表示制御方法。
【請求項１９】
コンピュータに、
昇降機が移動可能な範囲を示す移動範囲図形を表示画面に表示させる移動範囲図形表示機能と、
前記昇降機が停止する停止階又は前記昇降機が停止しない非停止階を示す運行情報に基づいて、前記移動範囲図形における、前記昇降機が停止する範囲を示す１又は複数の停止範囲と前記昇降機が停止しない範囲を示す非停止範囲とを区分する停止範囲区分機能と、
前記停止範囲区分機能によって区分された前記各停止範囲について、当該停止範囲に対応する停止階における最上階を示す最上階情報と最下階を示す最下階情報とを含み、且つ、当該停止階における一部の停止階を示す情報を含まない停止階情報を、前記移動範囲図形における当該停止範囲に並べて前記表示画面に表示させる停止階表示機能と、
を実現させるための表示制御プログラムであって、
前記停止階表示機能は、前記各停止範囲について、当該停止範囲に対応する停止階が１つである場合は、当該１つの停止階を示す前記停止階情報を、前記移動範囲図形における当該停止範囲に並べて前記表示画面に表示させ、当該停止範囲に対応する停止階が２つである場合は、当該２つの停止階における上方の停止階を示す情報を前記最上階情報とし、また、下方の停止階を示す情報を前記最下階情報とした前記停止階情報を、前記移動範囲図形における当該停止範囲に並べて前記表示画面に表示させ、当該停止範囲に対応する停止階が３つ以上である場合は、当該３つ以上の停止階における最上階を示す前記最上階情報と最下階を示す前記最下階情報とを含み、且つ、当該停止階における一部の停止階を示す情報を含まない前記停止階情報を、前記移動範囲図形における当該停止範囲に並べて前記表示画面に表示させること
を特徴とする表示制御プログラム。
【発明の詳細な説明】
【技術分野】
【０００１】
この発明は、表示制御装置、昇降機システム監視装置、表示制御方法、及び表示制御プログラムに関するものである。
【背景技術】
【０００２】
昇降機の運行状況を表示画面に表示するための表示制御装置がある。
例えば、特許文献１には、２方向に出入口があるエレベーターを含む複数台のエレベーターと、エレベーターの運行を制御する群制御装置と、エレベーターに対し停止階及び不停止階を設定及び可視化を可能とした昇降機監視システムにおいて、２方向に出入口のあるエレベーターに対して、出入口前方と後方を区別表示する昇降機監視システムが開示されている。
【先行技術文献】
【特許文献】
【０００３】
【特許文献１】特開２０１０−１６８１４０
【発明の概要】
【発明が解決しようとする課題】
【０００４】
従来の技術は、階ごとに昇降機が停止する階か停止しない階かを表示するようにしていた。しかしながら、限られた表示領域において、例えば、高層ビル等に設置された昇降機の運行状況を表示するためは、例えば、表示する文字を小さくするか、又は、表示された画像をスクロール表示等するかが必要となり、昇降機の運行状況を俯瞰することができなかった。【０００５】
この発明は、上述の問題点を解決するためのもので、限られた表示領域を有する表示画面に対しても、昇降機の運行状況を俯瞰可能に表示させることができる表示制御装置を提供することを課題としている。
【課題を解決するための手段】
【０００６】
この発明に係る表示制御装置は、昇降機が移動可能な範囲を示す移動範囲図形を表示画面に表示させる移動範囲図形表示部と、昇降機が停止する停止階又は昇降機が停止しない非停止階を示す運行情報に基づいて、移動範囲図形における、昇降機が停止する範囲を示す１又は複数の停止範囲と昇降機が停止しない範囲を示す非停止範囲とを区分する停止範囲区分部と、停止範囲区分部によって区分された各停止範囲について、当該停止範囲に対応する停止階における最上階を示す最上階情報と最下階を示す最下階情報とを含み、且つ、当該停止階における一部の停止階を示す情報を含まない停止階情報を、移動範囲図形における当該停止範囲に並べて表示画面に表示させる停止階表示部と、を備え、停止階表示部は、各停止範囲について、当該停止範囲に対応する停止階が１つである場合は、当該１つの停止階を示す停止階情報を、移動範囲図形における当該停止範囲に並べて表示画面に表示させ、当該停止範囲に対応する停止階が２つである場合は、当該２つの停止階における上方の停止階を示す情報を最上階情報とし、また、下方の停止階を示す情報を最下階情報とした停止階情報を、移動範囲図形における当該停止範囲に並べて表示画面に表示させ、当該停止範囲に対応する停止階が３つ以上である場合は、当該３つ以上の停止階における最上階を示す最上階情報と最下階を示す最下階情報とを含み、且つ、当該停止階における一部の停止階を示す情報を含まない停止階情報を、移動範囲図形における当該停止範囲に並べて表示画面に表示させるように構成したものである。
【発明の効果】
【０００７】
この発明によれば、限られた表示領域を有する表示画面に対しても、昇降機の運行状況を俯瞰可能に表示させることができる。
【図面の簡単な説明】
【０００８】
【図１】図１は、実施の形態１に係る表示制御装置を備えた昇降機システム監視装置の要部の一例を示すブロック図である。
【図２】図２Ａ及び図２Ｂは、実施の形態１に係る表示制御装置のハードウェア構成の一例を示す図である。
【図３】図３は、実施の形態１に係る表示制御装置が表示画面に表示させる表示画像の一例である。
【図４】図４は、実施の形態１に係る表示制御装置における停止範囲区分部が移動範囲図形における１又は複数の停止範囲と非停止範囲とを区分する際に用いる運行情報の一例を示す図である。
【図５】実施の形態１に係る表示制御装置の動作の一例を説明するフローチャートである。
【図６Ａ】図６Ａは、実施の形態１に係る表示制御装置における図５に示すステップＳＴ５０３の処理の一例を説明するフローチャートである。
【図６Ｂ】図６Ｂは、実施の形態１に係る表示制御装置における図５に示すステップＳＴ５０３の処理の一例を説明するフローチャートである。
【発明を実施するための形態】
【０００９】
以下、この発明の実施の形態について、図面を参照しながら詳細に説明する。
なお、以下に示す実施の形態において、昇降機は、特に断りのない限り昇降路を移動するかごを指すものとする。また、以下に示す実施の形態において、昇降機システムとは、例えば、昇降機の移動及び停止、並びに、乗場ドアの開閉等を制御するシステムである。
【００１０】
実施の形態１．
図１は、実施の形態１に係る表示制御装置１００を備えた昇降機システム監視装置１０の要部の一例を示すブロック図である。
昇降機システム監視装置１０は、昇降機システムにおける昇降機の運行状況を表示する装置である。昇降機システム監視装置１０は、昇降機システムにおける昇降機の停止階又は非停止階等の設定を行うための運行設定機能を備えていても良い。昇降機システム監視装置１０は、表示制御装置１００が出力した表示制御情報に基づき、表示画像を表示するものである。
昇降機システム監視装置１０は、表示部１１、移動範囲図形記憶部１２、運行情報記憶部１３、通信部１４、及び表示制御装置１００を備える。
【００１１】
表示部１１は、表示制御装置１００から出力された表示制御情報に基づき表示画像を表示する表示装置である。例えば、表示部１１は、ＬＥＤ（ｌｉｇｈｔ  ｅｍｉｔｔｉｎｇ  ｄｉｏｄｅ）パネル又は有機ＥＬ（ｅｌｅｃｔｒｏ−ｌｕｍｉｎｅｓｃｅｎｃｅ）パネル等の表示画面を備えた表示装置である。
【００１２】
移動範囲図形記憶部１２は、昇降機が移動可能な範囲を示す移動範囲図形データを記憶する記憶装置である。例えば、移動範囲図形記憶部１２は、ハードディスクドライブ又はフラッシュメモリ等の不揮発の記憶装置である。
移動範囲図形は、例えば、昇降路を示す立面図である。移動範囲図形の詳細については後述する。
【００１３】
運行情報記憶部１３は、昇降機が停止する停止階又は昇降機が停止しない非停止階を示す運行情報を記憶する記憶装置である。例えば、運行情報記憶部１３は、ハードディスクドライブ又はフラッシュメモリ等の不揮発の記憶装置である。運行情報の詳細については後述する。
【００１４】
通信部１４は、１台の昇降機又は複数台の昇降機の移動及び停止を制御する昇降機制御装置（不図示）から、各昇降路における昇降機の現在の位置等の、昇降機の運行状況を示す情報を取得する通信装置である。例えば、通信部１４は、ＬＴＥ（Ｌｏｎｇ  Ｔｅｒｍ  Ｅｖｏｌｕｔｉｏｎ）等の公衆回線、又はＬＡＮ（Ｌｏｃａｌ  Ａｒｅａ  Ｎｅｔｗｏｒｋ）等の情報通信網を介して、昇降機制御装置から昇降機の運行状況を示す情報を取得する。
【００１５】
表示制御装置１００は、移動範囲図形記憶部１２から取得した移動範囲図形データ、運行情報記憶部１３から取得した運行情報、及び通信部１４から取得した昇降機の運行状況を示す情報等に基づいて表示制御情報を生成し、生成した表示制御情報を表示部１１に出力する。
表示制御装置１００は、移動範囲図形表示部１０１、停止範囲区分部１０２、停止階表示部１０３、線分表示部１０４、及び昇降機位置表示部１０５を備える。
なお、実施の形態１では、表示制御装置１００は、要部として、移動範囲図形表示部１０１、停止範囲区分部１０２、停止階表示部１０３、線分表示部１０４、及び昇降機位置表示部１０５を備えるものとして説明するが、表示制御装置１００において線分表示部１０４及び昇降機位置表示部１０５は、必須な構成ではない。
また、実施の形態１では、表示制御装置１００は、一例として、昇降機システム監視装置１０に適用されたものを示すが、この限りではない。表示制御装置１００は、例えば、昇降機乗り場又は昇降機内等に設置された、運行状況案内用の表示装置（不図示）に適用されても良い。
【００１６】
移動範囲図形表示部１０１は、昇降機が移動可能な範囲を示す移動範囲図形を表示画面に表示させるものである。
具体的には、例えば、移動範囲図形表示部１０１は、移動範囲図形記憶部１２に記憶された移動範囲図形データを、移動範囲図形記憶部１２から読み出すことにより取得する。移動範囲図形表示部１０１は、取得した移動範囲図形データに基づいて、移動範囲図形を表示部１１の表示画面に表示させるための表示制御情報を生成する。移動範囲図形表示部１０１は、生成した表示制御情報を表示部１１に出力する。
より具体的には、例えば、移動範囲図形表示部１０１は、移動範囲図形の外形全体が表示部１１の表示画面に収まって表示されるように、表示制御情報を生成する。
実施の形態１では、移動範囲図形表示部１０１は、移動範囲図形データを移動範囲図形記憶部１２から読み出すことにより取得するものとして説明するが、移動範囲図形データは、移動範囲図形表示部１０１に予め保持されていても良い。
【００１７】
停止範囲区分部１０２は、昇降機が停止する停止階又は昇降機が停止しない非停止階を示す運行情報に基づいて、移動範囲図形における、昇降機が停止する範囲を示す１又は複数の停止範囲と昇降機が停止しない範囲を示す非停止範囲とを区分するものである。
具体的には、例えば、停止範囲区分部１０２は、運行情報記憶部１３に記憶された運行情報を、運行情報記憶部１３から読み出すことにより取得する。また、停止範囲区分部１０２は、例えば、移動範囲図形表示部１０１が表示させる移動範囲図形の表示画面における表示領域を示す情報を、移動範囲図形表示部１０１から取得する。停止範囲区分部１０２は、例えば、取得した運行情報と、移動範囲図形の表示画面における表示領域を示す情報とに基づいて、表示画面に表示される移動範囲図形における停止範囲と非停止範囲とを区分する。
実施の形態１では、停止範囲区分部１０２は、運行情報を運行情報記憶部１３から読み出すことにより取得するものとして説明するが、運行情報は、予め停止範囲区分部１０２に予め保持されていても良い。
停止範囲区分部１０２の詳細については後述する。
【００１８】
停止階表示部１０３は、停止範囲区分部１０２によって区分された各停止範囲について、当該各停止範囲に対応する停止階における最上階を示す最上階情報と最下階を示す最下階情報を含み、且つ、当該停止階における一部の停止階を示す情報を含まない停止階情報を、移動範囲図形における当該停止範囲に並べて表示画面に表示させるものである。
具体的には、停止階表示部１０３は、上述のような停止階情報を移動範囲図形における当該停止範囲と並べて表示部１１の表示画面に表示するための表示制御情報を生成する。停止階表示部１０３は、生成した表示制御情報を表示部１１に出力する。
停止階表示部１０３の詳細については後述する。
【００１９】
線分表示部１０４は、各停止範囲に対応する停止階を示す線分を、表示画面における垂直方向に伸びる直線に重なるように、移動範囲図形における当該停止範囲に並べて表示画面に表示させるものである。
より具体的には、例えば、線分表示部１０４は、表示画面に表示される移動範囲図形における各停止範囲に対応する停止階を示す線分を、移動範囲図形における当該停止範囲に並べて表示画面に表示するための表示制御情報を生成する。線分表示部１０４は、生成した表示制御情報を表示部１１に出力する。
なお、線分表示部１０４は、上述のとおり、実施の形態１において、表示制御装置１００において必須な構成ではない。
【００２０】
昇降機位置表示部１０５は、現在の昇降機の運行状況を示す情報を表示画面に表示させるものである。
現在の昇降機の運行状況を示す情報は、例えば、昇降路における昇降機の位置を示す情報である。
より具体的には、例えば、昇降機位置表示部１０５は、現在の昇降機の運行状況を示す情報を、昇降機の移動及び停止を制御する昇降機制御装置（不図示）から通信部１４を介して取得する。昇降機位置表示部１０５は、例えば、取得した現在の昇降機の運行状況を示す情報に基づいて、現在の昇降機の位置と対応する表示画面に表示される移動範囲図形における位置に、現在の昇降機の運行状況を示す情報を表示するための表示制御情報を生成する。昇降機位置表示部１０５は、生成した表示制御情報を表示部１１に出力する。
なお、昇降機位置表示部１０５は、上述のとおり、実施の形態１において、表示制御装置１００において必須な構成ではない。
【００２１】
図２Ａ及び図２Ｂを参照して、実施の形態１に係る表示制御装置１００の要部のハードウェア構成について説明する。
図２Ａ及び図２Ｂは、実施の形態１に係る表示制御装置１００の要部のハードウェア構成の一例を示す図である。
【００２２】
図２Ａに示す如く、表示制御装置１００はコンピュータにより構成されており、当該コンピュータはプロセッサ２０１及びメモリ２０２を有している。メモリ２０２には、移動範囲図形表示部１０１、停止範囲区分部１０２、停止階表示部１０３、線分表示部１０４、及び昇降機位置表示部１０５として機能させるためのプログラムが記憶されている。メモリ２０２に記憶されているプログラムをプロセッサ２０１が読み出して実行することにより、移動範囲図形表示部１０１、停止範囲区分部１０２、停止階表示部１０３、線分表示部１０４、及び昇降機位置表示部１０５の機能が実現される。
【００２３】
また、図２Ｂに示す如く、表示制御装置１００は処理回路２０３により構成されても良い。この場合、移動範囲図形表示部１０１、停止範囲区分部１０２、停止階表示部１０３、線分表示部１０４、及び昇降機位置表示部１０５の機能が処理回路２０３により実現されても良い。
【００２４】
また、表示制御装置１００はプロセッサ２０１、メモリ２０２及び処理回路２０３により構成されても良い（不図示）。この場合、移動範囲図形表示部１０１、停止範囲区分部１０２、停止階表示部１０３、線分表示部１０４、及び昇降機位置表示部１０５の機能のうちの一部の機能がプロセッサ２０１及びメモリ２０２により実現されて、残余の機能が処理回路２０３により実現されるものであっても良い。
【００２５】
プロセッサ２０１は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、マイクロプロセッサ、マイクロコントローラ又はＤＳＰ（Ｄｉｇｉｔａｌ  Ｓｉｇｎａｌ  Ｐｒｏｃｅｓｓｏｒ）を用いたものである。
【００２６】
メモリ２０２は、例えば、半導体メモリ又は磁気ディスクを用いたものである。より具体的には、メモリ２０２は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＳＳＤ（Ｓｏｌｉｄ  Ｓｔａｔｅ  Ｄｒｉｖｅ）又はＨＤＤ（Ｈａｒｄ  Ｄｉｓｋ  Ｄｒｉｖｅ）などを用いたものである。
【００２７】
処理回路２０３は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、ＳｏＣ（Ｓｙｓｔｅｍ−ｏｎ−ａ−Ｃｈｉｐ）又はシステムＬＳＩ（Ｌａｒｇｅ−Ｓｃａｌｅ  Ｉｎｔｅｇｒａｔｉｏｎ）を用いたものである。
【００２８】
図３及び図４を参照して、実施の形態１に係る表示制御装置１００における停止範囲区分部１０２及び停止階表示部１０３について詳細に説明する。
図３は、実施の形態１に係る表示制御装置１００が表示画面に表示させる表示画像の一例である。
図４は、実施の形態１に係る表示制御装置１００における停止範囲区分部１０２が移動範囲図形における１又は複数の停止範囲と非停止範囲とを区分する際に用いる運行情報の一例を示す図である。
【００２９】
移動範囲図形表示部１０１は、上述のとおり、移動範囲図形を表示画面に表示させるものである。
図３に示す表示画像における移動範囲図形は、一例として、表示画面における垂直方向（以下、表示画面における垂直方向のことを単に「垂直方向」という。）に平行な方向に伸びる矩形であるが、この限りではない。例えば、表示画面に表示される移動範囲図形は、表示画面における水平方向の成分と垂直方向の成分とを有する表示画面における斜め方向に伸びる四角形等の図形であっても良い。
【００３０】
図４に示す運行情報は、１００階から９５階までの各階、９０階から７１階までの各階、６１階、５３階から５１階までの各階、４５階、４３階、４１階、３７階、３５階、３３階から３１階までの各階、２５階、２３階、及び２１階から１階までの各階が、停止階であることを示している。また、図４に示す運行情報は、９４階から９１階までの各階、７０階から６２階までの各階、６０階から５４階までの各階、５０階から４６階までの各階、４４階、４２階、４０階から３８階までの各階、３６階、３４階、３０階から２６階までの各階、２４階、及び２２階が非停止階であることを示している。
停止範囲区分部１０２は、図４に示す運行情報と、表示画面における移動範囲図形の表示領域とに基づいて、ある非停止階と当該非停止階に隣り合う他の非停止階とに挟まれた、階数が１の停止階又は連続する複数の停止階を、１つの停止範囲とし、また、停止範囲と停止範囲に挟まれた、階数が１の非停止階又は連続する複数の非停止階を、１つの非停止範囲として、表示画面における移動範囲図形を区分する。
【００３１】
より具体的には、例えば、停止範囲区分部１０２は、表示画面における移動範囲図形の表示領域を、移動範囲図形における昇降機が移動する方向において、運行情報に基づいて昇降機が移動可能な総階数で等分することにより、表示画面における移動範囲図形の各階に対応する位置を取得する。次に、停止範囲区分部１０２は、各停止範囲及び各非停止範囲に対応する停止階及び非停止階と、表示画面における移動範囲図形の各階に対応する位置とを対応付けることにより、各停止範囲及び各非停止範囲の位置と、表示画面に表示される移動範囲図形における位置とを対応付ける。
停止範囲区分部１０２は、例えば、運行情報が図４に示す運行情報である場合、表示画面における移動範囲図形の表示領域を、移動範囲図形における昇降機が移動する方向において、１３個の停止範囲と、１２個の非停止範囲とに区分する。
【００３２】
移動範囲図形表示部１０１は、停止範囲区分部１０２が区分した各停止範囲及び各非停止範囲の表示画面における位置を示す情報に基づいて、停止範囲と非停止範囲とを判別可能にするための表示制御を行っても良い。図３に示す移動範囲図形は、一例として、停止範囲と非停止範囲とを互いに異なる色で塗り潰すことにより停止範囲と非停止範囲とを判別可能にした例を示している。より具体的には、図３に示す移動範囲図形は、停止範囲を白色に、また非停止範囲を黒色に塗り潰したものである。
このように停止範囲と非停止範囲とを判別可能にすることで、表示制御装置１００は、表示画面を見るユーザにとって、昇降機の停止階と非停止階とをより把握しやすいものとすることができる。
【００３３】
停止階表示部１０３は、上述のとおり、停止範囲区分部１０２によって区分された各停止範囲について、当該各停止範囲に対応する停止階における最上階を示す最上階情報と最下階を示す最下階情報を含み、且つ、当該停止階における一部の停止階を示す情報を含まない停止階情報を、移動範囲図形における当該停止範囲に並べて表示画面に表示させるものである。
より具体的には、停止階表示部１０３は、各停止範囲について、停止範囲に対応する停止階が１つである場合は、当該１つの停止階を示す停止階情報を、移動範囲図形における当該停止範囲に並べて表示画面に表示させる。また、停止階表示部１０３は、停止範囲に対応する停止階が３つ以上である場合は、３つ以上の停止階における最上階を示す最上階情報と最下階を示す最下階情報を含み、且つ、当該停止階における一部の停止階を示す情報を含まない停止階情報を、移動範囲図形における停止範囲に並べて表示画面に表示させる。なお、停止階表示部１０３は、停止範囲に対応する停止階が２つである場合は、２つの停止階における上方の停止階を示す情報を最上階情報とし、また、下方の停止階を示す情報を最下階情報とした停止階情報を、移動範囲図形における停止範囲に並べて表示画面に表示させる。
【００３４】
また、停止階表示部１０３は、各停止範囲の垂直方向の長さと、停止階情報における表示画面に表示される文字の垂直方向の長さとに基づいて、各停止範囲に対応する停止階を示す停止階情報が互いに重ならないように各停止範囲に対応する停止階を示す停止階情報を移動範囲図形における当該停止範囲に並べて表示させる。
【００３５】
以下の説明において、表示画面に表示される移動範囲図形における昇降機が移動する方向の一端から数えてｎ番目（ｎは自然数）に位置する停止範囲の垂直方向の長さを、長さｓｎと表記して説明する。また、以下の説明において、表示画面に表示される移動範囲図形における昇降機が移動する方向の一端とは、移動範囲図形の表示画面における上側を指すものとして説明する。すなわち、ｎ番目に位置する停止範囲とは、昇降機が移動可能な範囲における最上階側から数えてｎ番目に位置する停止範囲を指すものとする。
【００３６】
また、以下の説明において、ｎ番目に位置する停止範囲に対応する停止階を示す停止階情報として表示画面に表示される文字の垂直方向の長さを長さｃｎと表記して説明する。また、停止階情報が最上階情報と最下階情報とを含む場合、最上階情報として表示画面に表示される文字の垂直方向の長さを長さｃｎα、及び最下階情報における文字の表示画面における垂直方向の長さを長さｃｎβと表記して説明する。ただし、以下の説明において、長さｃｎは、長さｃ１＝長さｃ２＝・・・＝長さｃｎ＝長さｃであるものとし、また、長さｃｎα及び長さｃｎβは、長さｃｎα＝長さｃｎβ＝長さｃであるものとして説明する。
また、以下の説明において、長さｃは、移動範囲図形における階数５階分の長さに相当する長さであるものとして説明する。
なお、実施の形態１において、長さｓｎ及び長さｃｎは、いずれも表示画面における垂直方向の長さであるものとして説明するが、長さｓｎ及び長さｃｎは、表示画面における垂直方向の成分を有する同一方向の長さであれば良く、表示画面における垂直方向の長さに限るものではない。
【００３７】
実施の形態１における停止階表示部１０３は、停止範囲区分部１０２によって区分された各停止範囲について、停止範囲に対応する停止階が複数であり、且つ、当該停止階を示す停止階情報として表示画面に表示される文字の垂直方向の長さが、停止範囲の垂直方向の長さ以下であり、且つ、停止階情報に含まれる最上階情報として表示画面に表示される文字の垂直方向の長さ、及び、停止階情報に含まれる最下階情報として表示画面に表示される文字の垂直方向の長さを加算した長さが、停止範囲の垂直方向の長さより長い場合、停止階情報に含まれる最上階情報と最下階情報とを１行の文字列により移動範囲図形における停止範囲に並べて表示させる。
より具体的には、例えば、停止階表示部１０３は、ｎ番目の停止範囲に対応する停止階が複数であり、且つ、長さｃｎ（長さｃ）が長さｓｎ以下であり、且つ、長さｃｎα（長さｃ）及び長さｃｎβ（長さｃ）を加算した長さ（長さｃの２倍の長さ）が長さｓｎより長い場合、ｎ番目の停止範囲に対応する最上階情報と最下階情報とを１行の文字列により移動範囲図形におけるｎ番目の停止範囲に並べて表示画面に表示させる。
【００３８】
また、実施の形態１における停止階表示部１０３は、停止階情報が最上階情報と最下階情報とを含む場合、最上階情報の後、又は、最下階情報の前に予め定められた文字又は記号を挿入して、停止階情報を表示させる。
【００３９】
例えば、図３において、１番目の停止範囲は、１００階から９５階までの連続する停止階に対応しており、長さｓ１は、図３に示す移動範囲図形における６階分の垂直方向の長さに相当する長さである。すなわち、長さｃは、長さｓ１以下であり、且つ、長さｃの２倍の長さは、長さｓ１より長い。したがって、停止階表示部１０３は、図３に示すように、１番目の停止範囲に対応する停止階を示す停止階情報に含まれる最上階情報である「１００」と最下階情報である「９５」とを、１行の文字列により移動範囲図形における１番目の停止範囲に並べて表示画面に表示させる。
また、例えば、停止階表示部１０３は、図３に示すように、１番目の停止範囲に対応する最上階情報と最下階情報との間、すなわち、最上階情報の後、又は、最下階情報の前に「−（ハイフン）」を挿入して表示画面に表示させる。図３に示す１番目の停止範囲に対応する最上階情報と最下階情報との間に挿入されたハイフンは一例であり、ハイフン以外の文字又は記号でも良い。
【００４０】
このような表示を停止階表示部１０３が表示画面に行わせることで、表示制御装置１００は、ある停止範囲に対応する停止階を示す停止階情報と、当該停止範囲とは異なる他の停止範囲に対応する停止階を示す停止階情報とが重ならないように各停止階情報を移動範囲図形における当該停止範囲に並べて表示させつつ、ユーザにとって、表示画面上の表示を、最上階情報に対応する停止階から最下階情報に対応する停止階までの間において、停止階が連続していることを把握しやすいものとすることができる。
【００４１】
また、実施の形態１における停止階表示部１０３は、停止範囲区分部１０２によって区分された各停止範囲について、当該停止範囲に対応する停止階が複数であり、且つ、当該停止階を示す停止階情報に含まれる最上階情報として表示画面に表示される文字の垂直方向の長さ、及び、当該停止階情報に含まれる最下階情報として当該表示画面に表示される文字の当該垂直方向の長さを加算した長さが、当該停止範囲の当該垂直方向の長さ以下である場合、当該停止階情報に含まれる最上階情報と最下階情報とを、当該垂直方向において互いに離れた位置に、移動範囲図形における当該停止範囲にそれぞれ並べて表示させる。
また、実施の形態１における停止階表示部１０３は、停止階情報に含まれる最上階情報を、停止範囲における最上階に対応する位置に表示させ、当該停止階情報に含まれる最下階情報を、当該停止範囲における最下階に対応する位置に表示させる。
【００４２】
より具体的には、例えば、停止階表示部１０３は、ｎ番目の停止範囲に対応する停止階が複数であり、且つ、長さｃｎα（長さｃ）及び長さｃｎβ（長さｃ）を加算した長さ（長さｃの２倍の長さ）が長さｓｎ以下である場合、ｎ番目の停止範囲に対応する最上階情報と最下階情報とを垂直方向において互いに離れた位置に移動範囲図形におけるｎ番目の停止範囲に並べて表示画面に表示させる。
例えば、図３において、２番目の停止範囲は、９０階から７１階までの連続する停止階に対応しており、長さｓ２は、図３に示す移動範囲図形における２０階分の垂直方向の長さに相当する長さである。すなわち、長さｃの２倍の長さは、長さｓ２以下である。したがって、停止階表示部１０３は、図３に示すように、２番目の停止範囲に対応する最上階情報である「９０」と最下階情報である「７１」とを、互いに垂直方向において離れた位置に、移動範囲図形における２番目の停止範囲に並べて表示画面に表示させる。
【００４３】
更に、停止階表示部１０３は、図３に示すように、２番目の停止範囲に対応する最上階情報を、２番目の停止範囲における最上階に対応する位置に表示させ、２番目の停止範囲に対応する最下階情報を、２番目の停止範囲における最下階に対応する位置に表示させる。なお、停止範囲における最上階に対応する位置には、当該位置の近傍を含む。また、停止範囲における最下階に対応する位置には、当該位置の近傍を含む。
また、例えば、停止階表示部１０３は、図３に示すように、２番目の停止範囲に対応する最上階情報の後にハイフンを挿入して表示画面に表示させる。図３に示す２番目の停止範囲に対応する最上階情報の後に挿入されたハイフンは一例であり、ハイフン以外の文字又は記号でも良い。また、図３に示す２番目の停止範囲に対応する最上階情報の後に挿入されたハイフンの位置は一例であり、ハイフンは、最下階情報の前に挿入されても、最上階情報の後、及び最下階情報の前の両方に挿入されても良い。
【００４４】
このような表示を停止階表示部１０３が表示画面に行わせることで、表示制御装置１００は、各停止範囲に対応する停止階を示す停止階情報が互いに重ならないように、各停止範囲に対応する停止階を示す停止階情報を移動範囲図形における当該停止範囲に並べて表示させつつ、ユーザにとって、停止範囲に対応する停止階をより把握しやすいものとすることができる。また、表示制御装置１００は、ユーザにとって、表示画面上の表示を、最上階情報に対応する停止階から最下階情報に対応する停止階までの間において、停止階が連続していることを把握しやすいものとすることができる。
【００４５】
また、実施の形態１における停止階表示部１０３は、各停止範囲の表示画面における垂直方向の長さと、各停止範囲と隣り合う非停止範囲の当該垂直方向の長さと、停止階情報として当該表示画面に表示される文字の当該垂直方向の長さとに基づいて、各停止範囲に対応する停止階を示す停止階情報が互いに重ならないように各停止範囲に対応する停止階を示す停止階情報を表示させる。
以下の説明において、表示画面に表示される移動範囲図形における昇降機が移動する方向の一端から数えてｎ番目に位置する停止範囲とｎ＋１番目に位置する停止範囲とに挟まれた非停止範囲をｎ番目の非停止範囲と定義する。また、以下の説明において、ｎ番目の非停止範囲の垂直方向の長さを長さｔｎと表記し、また、長さｓｎ及び長さｔｎを加算した長さを長さＨｎと表記して説明する。
なお、実施の形態１において、長さｔｎ及び長さＨｎは、いずれも表示画面における垂直方向の長さであるものとして説明するが、長さｔｎ及び長さＨｎは、長さｃ及び長さｓｎと同一方向、且つ、表示画面における垂直方向の成分を有する方向の長さあれば良く、表示画面における垂直方向の長さに限るものではない。
【００４６】
また、実施の形態１における停止階表示部１０３は、各停止範囲について、当該停止範囲に対応する停止階を示す停止階情報として表示画面に表示される文字の垂直方向の長さが、当該停止範囲の当該垂直方向の長さより長く、且つ、当該文字の当該垂直方向の長さが、当該停止範囲の当該垂直方向の長さ及び当該停止範囲と隣り合う非停止範囲の当該垂直方向の長さを加算した長さ以下である場合、当該停止階情報を１行の文字列により移動範囲図形における当該停止範囲に並べて表示させる。
より具体的には、例えば、停止階表示部１０３は、長さｃｎ（長さｃ）が長さｓｎより長く、且つ、長さｃが長さＨｎ（長さｓｎ及び長さｔｎを加算した長さ）以下である場合、ｎ番目の停止範囲に対応する停止階を示す停止階情報を１行の文字列によりｎ番目の停止範囲に並べて表示画面に表示させる。
【００４７】
例えば、図３において、３番目の停止範囲は、６１階に対応しており、長さｓ３は、図３に示す移動範囲図形における１階分の垂直方向の長さに相当する長さである。すなわち、長さｃは、長さｓ３より長い。また、図３において、３番目の非停止範囲は、６０階から５４階までの連続する非停止階に対応しており、長さｔ３は、図３に示す移動範囲図形における７階分の垂直方向の長さに相当する長さである。すなわち、長さｃは、長さＨ３（長さｓ３及び長さｔ３を加算した長さ）以下である。したがって、停止階表示部１０３は、図３に示すように、３番目の停止範囲に対応する停止階を示す停止階情報である「６１」を、移動範囲図形における３番目の停止範囲に加えて、３番目の非停止範囲の一部に並べて表示画面に表示させる。
【００４８】
このように停止階表示部１０３が表示制御することで、表示制御装置１００は、各停止範囲に対応する停止階を示す停止階情報が互いに重ならないように各停止範囲に対応する停止階を示す停止階情報を移動範囲図形における当該停止範囲に並べて表示制御することを可能にしつつ、ユーザにとって、停止範囲に対応する停止階をより把握しやすいものとすることができる。
【００４９】
また、例えば、図３において、４番目の停止範囲は、５３階から５１階までの連続する停止階に対応しており、長さｓ４は、図３に示す移動範囲図形における３階分の垂直方向の長さに相当する長さである。すなわち、長さｃは、長さｓ４より長い。また、図３において、４番目の非停止範囲は、５０階から４６階までの連続する非停止階に対応しており、長さｔ４は、図３に示す移動範囲図形における５階分の垂直方向の長さに相当する長さである。すなわち、長さｃは、長さＨ４（長さｓ４及び長さｔ４を加算した長さ）以下である。したがって、停止階表示部１０３は、図３に示すように、４番目の停止範囲に対応する最上階情報である「５３」及び最下階情報である「５１」を１行の文字列により移動範囲図形における４番目の停止範囲に並べて表示画面に表示させる。
【００５０】
また、例えば、停止階表示部１０３は、図３に示すように、４番目の停止範囲に対応する最上階情報と最下階情報との間、すなわち、最上階情報の後、又は、最下階情報の前にハイフンを挿入して表示画面に表示させる。図３に示す４番目の停止範囲に対応する最上階情報と最下階情報との間に挿入されたハイフンは、上述のとおり一例である。
【００５１】
このような表示を停止階表示部１０３が表示画面に行わせることで、表示制御装置１００は、ある停止範囲に対応する停止階を示す停止階情報と、当該停止範囲とは異なる他の停止範囲に対応する停止階を示す停止階情報とが重ならないように各停止階情報を移動範囲図形における当該停止範囲に並べて表示させつつ、ユーザにとって、表示画面上の表示を、最上階情報に対応する停止階から最下階情報に対応する停止階までの間において、停止階が連続していることを把握しやすいものとすることができる。
【００５２】
また、実施の形態１における停止階表示部１０３は、移動範囲図形における昇降機が移動する方向の一端から数えてｎ番目の停止範囲に対応する停止階を示す停止階情報として表示画面に表示される文字の垂直方向の長さｃｎが、当該ｎ番目の停止範囲の当該垂直方向の長さｓｎ、及び、当該ｎ番目の停止範囲と一端から数えてｎ＋１番目の停止範囲とに挟まれる非停止範囲の当該垂直方向の長さｔｎを加算した長さＨｎより長い場合、当該長さＨｎから、一端から数えてｎ＋ｋ番目（ｋは自然数）の停止範囲の当該垂直方向の長さｓｎ＋ｋ、及び当該ｎ＋ｋ番目の停止範囲と一端から数えてｎ＋ｋ＋１番目の停止範囲とに挟まれる非停止範囲の当該垂直方向の長さｔｎ＋ｋを加算した長さＨｎ＋ｋまでを順次加算した長さＴｎ〜ｎ＋ｋ（Ｔｎ〜ｎ＋ｋ＝Ｈｎ＋Ｈｎ＋１＋Ｈｎ＋２＋・・・＋Ｈｎ＋ｋ）が、最初に、当該ｎ番目から当該ｎ＋ｋ番目までの各停止範囲に対応する停止階を示す停止階情報として表示される文字の当該垂直方向の長さの最大値ｍａｘｃｎ〜ｎ＋ｋ以上となる当該ｎ＋ｋを取得し、当該ｎ番目から当該ｎ＋ｋ番目までの各停止範囲に対応する停止階を示す全ての停止階情報を、当該ｎ番目の停止範囲から当該ｎ＋ｋ番目の停止範囲までに亘る範囲に並べて表示させる。
【００５３】
また、実施の形態１における停止階表示部１０３は、ｎ＋ｋ番目の停止範囲に対応する停止階が１つであり、且つ、最大値ｍａｘｃｎ〜ｎ＋ｋが、長さＴｎ〜ｎ＋ｋ以下である場合、ｎ番目から当該ｎ＋ｋ番目までの各停止範囲に対応する停止階を示す全ての停止階情報を１行の文字列により表示させる。
また、実施の形態１における停止階表示部１０３は、ｎ＋ｋ番目の停止範囲に対応する停止階が複数であり、且つ、最大値ｍａｘｃｎ〜ｎ＋ｋと当該ｎ＋ｋ番目の停止範囲に対応する停止階を示す停止階情報として表示される文字の垂直方向の長さｃｎ＋ｋとを加算した長さが、長さＴｎ〜ｎ＋ｋから長さｔｎ＋ｋを減じた長さより長い場合、ｎ番目から当該ｎ＋ｋ番目までの各停止範囲に対応する停止階を示す全ての停止階情報を１行の文字列により表示させる。
【００５４】
また、実施の形態１における停止階表示部１０３は、ｎ＋ｋ番目の停止範囲に対応する停止階が複数であり、且つ、最大値ｍａｘｃｎ〜ｎ＋ｋと当該ｎ＋ｋ番目の停止範囲に対応する停止階を示す停止階情報として表示される文字の当該垂直方向の長さｃｎ＋ｋとを加算した長さが、長さＴｎ〜ｎ＋ｋから長さｔｎ＋ｋを減じた長さ以下である場合、当該ｎ＋ｋ番目の停止範囲に対応する停止階を示す停止階情報に含まれる最上階情報と最下階情報とを、当該垂直方向において互いに離れた位置に表示させる。
【００５５】
また、実施の形態１における停止階表示部１０３は、ｎ＋ｋ番目の停止範囲に対応する停止階を示す停止階情報に含まれる最上階情報を、ｎ番目の停止範囲から当該ｎ＋ｋ番目の停止範囲までに亘る範囲における上端に対応する位置に表示させ、当該停止階情報に含まれる最下階情報を、当該範囲における下端に対応する位置に表示させる。
【００５６】
例えば、図３において、５番目の停止範囲は、４５階に対応しており、長さｓ５は、図３に示す移動範囲図形における１階分の垂直方向の長さに相当する長さである。また、図３において、５番目の非停止範囲は、４４階に対応しており、長さｔ５は、図３に示す移動範囲図形における１階分の垂直方向の長さに相当する長さである。すなわち、長さｃは、長さＨ５（長さｓ５及び長さｔ５を加算した長さ）より長い。
停止階表示部１０３は、長さｃが長さＨ５より長いため、長さｃと長さＴ５〜６（長さＨ５及び長さＨ６を加算した長さ）とを比較する。長さＨ６は、長さｓ６及び長さｔ６を加算した長さである。図３において、６番目の停止範囲は、４３階に対応しており、長さｓ６は、図３に示す移動範囲図形における１階分の垂直方向の長さに相当する長さである。また、図３において、６番目の非停止範囲は、４２階に対応しており、長さｔ６は、図３に示す移動範囲図形における１階分の垂直方向の長さに相当する長さである。すなわち、長さｃは、長さＴ５〜６より長い。
【００５７】
停止階表示部１０３は、長さｃが長さＴ５〜６より長いため、長さｃと長さＴ５〜７（長さＨ５、長さＨ６及びＨ７加算した長さ）とを比較する。長さＨ７は、長さｓ７及び長さｔ７を加算した長さである。図３において、７番目の停止範囲は、４１階に対応しており、長さｓ７は、図３に示す移動範囲図形における１階分の垂直方向の長さに相当する長さである。また、図３において、７番目の非停止範囲は、４０階から３８階までの連続する非停止階に対応しており、長さｔ７は、図３に示す移動範囲図形における３階分の垂直方向の長さに相当する長さである。すなわち、長さｃは、長さＴ５〜７以下である。
停止階表示部１０３は、最初に、長さＴ５−７が長さｃ以上となったため、５番目、６番目及び７番目の停止範囲に対応する停止階を示す停止階情報を、５番目、６番目及び７番目の停止範囲に亘る範囲に並べて表示画面に表示させる。
【００５８】
停止階表示部１０３は、５番目、６番目及び７番目の停止範囲に対応する停止階を示す停止階情報を、５番目、６番目及び７番目の停止範囲に亘る範囲に並べて表示させる際に、７番目の停止範囲に対応する停止階が１つであり、且つ、長さｃが長さＴ５〜７以下であるため、図３に示すように、５番目、６番目及び７番目の停止範囲に対応する停止階を示す停止階情報を、１行の文字列により表示させる。
【００５９】
また、停止階表示部１０３は、５番目、６番目及び７番目の停止範囲に対応する停止階を示す停止階情報を、５番目、６番目及び７番目の停止範囲に亘る範囲に並べて表示させる際に、５番目の停止範囲に対応する停止階を示す停止階情報である「４５」と、６番目の停止範囲に対応する停止階を示す停止階情報である「４３」との間、及び、６番目の停止範囲に対応する停止階を示す停止階情報と、７番目の停止範囲に対応する停止階を示す停止階情報である「４１」との間に「，（カンマ）」を挿入して表示画面に表示させる。図３に示す５番目の停止範囲に対応する停止階を示す停止階情報と、６番目の停止範囲に対応する停止階を示す停止階情報との間、及び、６番目の停止範囲に対応する停止階を示す停止階情報と、７番目の停止範囲に対応する停止階を示す停止階情報との間に挿入されたカンマは一例であり、カンマ以外の文字又は記号でも良い。
【００６０】
このような表示を停止階表示部１０３が表示画面に行わせることで、表示制御装置１００は、ある停止範囲に対応する停止階を示す停止階情報と、当該停止範囲とは異なる他の停止範囲に対応する停止階を示す停止階情報とが重ならないように各停止階情報を移動範囲図形における当該停止範囲に並べて表示させつつ、ユーザにとって、表示画面上の表示を、当該停止範囲に対応する停止階が複数あることを把握しやすいものとすることができる。
【００６１】
また、例えば、８番目の停止範囲は、３７階に対応しており、長さｓ８は、図３に示す移動範囲図形における１階分の垂直方向の長さに相当する長さである。また、図３において、８番目の非停止範囲は、３６階に対応しており、長さｔ８は、図３に示す移動範囲図形における１階分の垂直方向の長さに相当する長さである。すなわち、長さｃは、長さＨ８（長さｓ８及び長さｔ８を加算した長さ）より長い。
停止階表示部１０３は、長さｃが長さＨ８より長いため、長さｃと長さＴ８〜９（長さＨ８及び長さＨ９を加算した長さ）とを比較する。長さＨ９は、長さｓ９及び長さｔ９を加算した長さである。図３において、９番目の停止範囲は、３５階に対応しており、長さｓ９は、図３に示す移動範囲図形における１階分の垂直方向の長さに相当する長さである。また、図３において、９番目の非停止範囲は、３４階に対応しており、長さｔ９は、図３に示す移動範囲図形における１階分の垂直方向の長さに相当する長さである。すなわち、長さｃは、長さＴ８〜９より長い。
【００６２】
停止階表示部１０３は、長さｃが長さＴ８〜９より長いため、長さｃと長さＴ８〜１０（長さＨ８、長さＨ９及びＨ１０加算した長さ）とを比較する。長さＨ１０は、長さｓ１０及び長さｔ１０を加算した長さである。図３において、１０番目の停止範囲は、３３階から３１階までの連続する停止階に対応しており、長さｓ１０は、図３に示す移動範囲図形における３階分の垂直方向の長さに相当する長さである。また、図３において、１０番目の非停止範囲は、３０階から２６階までの連続する非停止階に対応しており、長さｔ１０は、図３に示す移動範囲図形における５階分の垂直方向の長さに相当する長さである。すなわち、長さｃは、長さＴ８〜１０以下である。
停止階表示部１０３は、最初に、長さＴ８〜１０が長さｃ以上となったため、８番目、９番目及び１０番目の停止範囲に対応する停止階を示す停止階情報を、８番目、９番目及び１０番目の停止範囲に亘る範囲に並べて表示画面に表示させる。
【００６３】
停止階表示部１０３は、８番目、９番目及び１０番目の停止範囲に対応する停止階を示す停止階情報を、８番目、９番目及び１０番目の停止範囲に亘る範囲に並べて表示させる際に、長さｃを２倍した長さと、長さＴ８〜１０から長さｔ１０を減じた長さとを比較する。停止階表示部１０３は、長さｃを２倍した長さが長さＴ８〜１０から長さｔ１０を減じた長さより長いため、図３に示すように、８番目、９番目及び１０番目の停止範囲に対応する停止階を示す停止階情報を、１行の文字列により表示させる。
【００６４】
また、停止階表示部１０３は、８番目、９番目及び１０番目の停止範囲に対応する停止階を示す停止階情報を、８番目、９番目及び１０番目の停止範囲に亘る範囲に並べて表示させる際に、８番目の停止範囲に対応する停止階を示す停止階情報である「３７」と、９番目の停止範囲に対応する停止階を示す停止階情報である「３５」との間、及び、９番目の停止範囲に対応する停止階を示す停止階情報と、１０番目の停止範囲に対応する停止階を示す停止階情報に含まれる最上階情報である「３３」との間にカンマを挿入して表示画面に表示させる。図３に示す８番目の停止範囲に対応する停止階を示す停止階情報と、９番目の停止範囲に対応する停止階を示す停止階情報との間、及び、９番目の停止範囲に対応する停止階を示す停止階情報と、１０番目の停止範囲に対応する停止階を示す停止階情報に含まれる最上階情報との間に挿入されたカンマは、上述のとおり一例である。
【００６５】
また、例えば、停止階表示部１０３は、図３に示すように、１０番目の停止範囲に対応する最上階情報と最下階情報である「３１」との間、すなわち、最上階情報の後、又は、最下階情報の前にハイフンを挿入して表示画面に表示するための制御を行う。図３に示す１０番目の停止範囲に対応する最上階情報と最下階情報との間に挿入されたハイフンは、上述のとおり一例である。
【００６６】
このような表示を停止階表示部１０３が表示画面に行わせることで、表示制御装置１００は、ある停止範囲に対応する停止階を示す停止階情報と、当該停止範囲とは異なる他の停止範囲に対応する停止階を示す停止階情報とが重ならないように各停止階情報を移動範囲図形における当該停止範囲に並べて表示させつつ、ユーザにとって、表示画面上の表示を、当該停止範囲に対応する停止階が複数あることを把握しやすいものとすることができる。また、最上階情報に対応する停止階から最下階情報に対応する停止階までの間において、最上階情報に対応する停止階から最下階情報に対応する停止階までの間において、停止階が連続していることを把握しやすくできる。
【００６７】
また、例えば、１１番目の停止範囲は、２５階に対応しており、長さｓ１１は、図３に示す移動範囲図形における１階分の垂直方向の長さに相当する長さである。また、図３において、１１番目の非停止範囲は、２４階に対応しており、長さｔ１１は、図３に示す移動範囲図形における１階分の垂直方向の長さに相当する長さである。すなわち、長さｃは、長さＨ１１（長さｓ１１及び長さｔ１１を加算した長さ）より長い。
停止階表示部１０３は、長さｃが長さＨ１１より長いため、長さｃと長さＴ１１〜１２（長さＨ１１及び長さＨ１２加算した長さ）とを比較する。長さＨ１２は、長さｓ１２及び長さｔ１２を加算した長さである。図３において、１２番目の停止範囲は、２３階に対応しており、長さｓ１２は、図３に示す移動範囲図形における１階分の垂直方向の長さに相当する長さである。また、図３において、１２番目の非停止範囲は、２２階に対応しており、長さｔ１２は、図３に示す移動範囲図形における１階分の垂直方向の長さに相当する長さである。すなわち、長さｃは、長さＴ１１〜１２より長い。
【００６８】
停止階表示部１０３は、長さｃが長さＴ１１〜１２より長いため、長さｃと長さＴ１１〜１３（長さＨ１１、長さＨ１２及び長さＨ１３加算した長さ）とを比較する。長さＨ１３は、長さｓ１３及び長さｔ１３を加算した長さである。図３において、１３番目の停止範囲は、２１階から１階までの連続する停止階に対応しており、長さｓ１３は、図３に示す移動範囲図形におけ２１階分の垂直方向の長さに相当する長さである。なお、図３において、１３番目の非停止範囲は、存在しない。このような場合、停止階表示部１０３は、例えば、長さｔ１３が長さｃであるものする。すなわち、長さｃは、長さＴ１１〜１３以下である。
停止階表示部１０３は、最初に、長さＴ１１〜１３が長さｃ以上となったため、１１番目、１２番目及び１３番目の停止範囲に対応する停止階を示す停止階情報を、１１番目、１２番目及び１３番目の停止範囲に亘る範囲に並べて表示させる。
【００６９】
停止階表示部１０３は、１１番目、１２番目及び１３番目の停止範囲に対応する停止階を示す停止階情報を、１１番目、１２番目及び１３番目の停止範囲に亘る範囲に並べて表示させる際に、長さｃを２倍した長さと、長さＴ１１〜１３から長さｔ１３を減じた長さとを比較する。停止階表示部１０３は、長さｃを２倍した長さが長さＴ１１〜１３から長さｔ１３を減じた長さ以下であるため、図３に示すように、１１番目、１２番目及び１３番目の停止範囲に対応する停止階を示す停止階情報を、互いに垂直方向において離れた位置に１１番目、１２番目及び１３番目の停止範囲に亘る範囲に並べて表示画面に表示させる。
更に、停止階表示部１０３は、図３に示すように、１３番目の停止範囲に対応する最上階情報を、１３番目の停止範囲における最上階に対応する位置に表示させ、１３番目の停止範囲に対応する最下階情報を、１３番目の停止範囲における最下階に対応する位置に表示させる。
【００７０】
また、停止階表示部１０３は、１１番目、１２番目及び１３番目の停止範囲に対応する停止階を示す停止階情報を、１１番目、１２番目及び１３番目の停止範囲に亘る範囲に並べて表示させる際に、１１番目の停止範囲に対応する停止階を示す停止階情報である「２５」と、１２番目の停止範囲に対応する停止階を示す停止階情報である「２３」との間、及び、１２番目の停止範囲に対応する停止階を示す停止階情報と、１３番目の停止範囲に対応する停止階を示す停止階情報に含まれる最上階情報である「２１」との間にカンマを挿入して表示画面に表示させる。図３に示す１１番目の停止範囲に対応する停止階を示す停止階情報と、１２番目の停止範囲に対応する停止階を示す停止階情報との間、及び、１２番目の停止範囲に対応する停止階を示す停止階情報と、１３番目の停止範囲に対応する停止階を示す停止階情報に含まれる最上階情報との間に挿入されたカンマは、上述のとおり一例である。
【００７１】
また、例えば、停止階表示部１０３は、図３に示すように、１３番目の停止範囲に対応する最上階情報の後にハイフンを挿入して表示画面に表示させる。図３に示す１３番目の停止範囲に対応する最上階情報の後に挿入されたハイフンは、上述のとおり一例である。
【００７２】
このような表示を停止階表示部１０３が表示画面に行わせることで、表示制御装置１００は、ある停止範囲に対応する停止階を示す停止階情報と、当該停止範囲とは異なる他の停止範囲に対応する停止階を示す停止階情報とが重ならないように各停止階情報を移動範囲図形における当該停止範囲に並べて表示させつつ、ユーザにとって、表示画面上の表示を、当該停止範囲に対応する停止階が複数あることを把握しやすいものとすることができ、また、最上階情報に対応する停止階から最下階情報に対応する停止階までの間において、最上階情報に対応する停止階から最下階情報に対応する停止階までの間において、停止階が連続していることを把握しやすくできる。
【００７３】
また、実施の形態１における停止階表示部１０３は、各停止範囲について、当該停止範囲に対応する停止階が１つである場合は、当該１つの停止階を示す停止階情報を、移動範囲図形における当該停止範囲に並べて表示画面に表示させる。
より具体的には、例えば、実施の形態１の説明において、停止階表示部１０３は、ｎ番目の停止範囲に対応する停止階の階数が１であり、且つ、長さｃが長さｓｎ以下である場合、ｎ番目の停止範囲に対応する停止階を示す停止階情報を移動範囲図形におけるｎ番目の停止範囲に並べて表示画面に表示させる。
【００７４】
ただし、実施の形態１では、長さｃは、表示画面における垂直方向の移動範囲図形における５階分の長さに相当する長さであるものとしたため、ｎ番目の停止範囲に対応する停止階の階数が１である場合において、長さｃが長さｓｎ以下であるという条件を満たすことはない。
ｎ番目の停止範囲に対応する停止階の階数が１である場合において、長さｃが長さｓｎ以下であるという条件は、昇降機が移動可能な総階数の値が小さい場合等において満たされる。
【００７５】
線分表示部１０４は、上述のとおり、各停止範囲に対応する停止階を示す線分を、垂直方向の成分を含む方向に伸びる直線に重なるように、移動範囲図形における当該停止範囲に並べて表示画面に表示させるものである。
図３に示す各停止範囲に対応する停止階を示す線分は、表示画面における水平方向において、予め決められた太さを有する。そのため、線分表示部１０４が表示させる各停止範囲に対応する停止階を示す線分は、表示画面における水平方向において、予め決められた幅を有し、表示画面における垂直方向の成分を含む方向に伸びる矩形等の図形であっても良い。
また、図３に示す各停止範囲に対応する停止階を示す線分は、一例として、移動範囲図形における各停止範囲と各停止範囲に対応する停止階を示す停止階情報との間に、移動範囲図形における各停止範囲に並べて表示されている。各停止範囲に対応する停止階を示す線分、移動範囲図形における各停止範囲、及び各停止範囲に対応する停止階を示す停止階情報の位置関係は、図３に示すものに限るものでない。
【００７６】
このように、線分表示部１０４が、各停止範囲に対応する停止階を示す線分を、移動範囲図形における各停止範囲に並べて表示させることで、表示制御装置１００は、ユーザにとって、表示画面上の表示を、昇降機の停止階と非停止階とをより把握しやすいものとすることができる。
【００７７】
昇降機位置表示部１０５は、上述のとおり、現在の昇降機の運行状況を示す情報を表示画面に表示させるものである。
図３に示す昇降機位置情報は、一例として、昇降機が現在８２階に位置していることを示している。図３に示す昇降機位置情報の表現方法は、図３に示すものに限るものではない。
【００７８】
このように、昇降機位置表示部１０５が、現在の昇降機の位置を示す昇降機位置情報を表示させることで、表示制御装置１００は、ユーザにとって、表示画面上の表示を、昇降機の現在の運行状況を把握可能なものとすることができる。
【００７９】
図５、図６Ａ及び図６Ｂを参照して、実施の形態１に係る表示制御装置１００の動作について説明する。
図５は、実施の形態１に係る表示制御装置１００の処理の一例を説明するフローチャートである。
表示制御装置１００は、表示制御装置１００が動作している間において、当該フローチャートの処理を繰り返し行う。
【００８０】
まず、ステップＳＴ５０１にて、移動範囲図形表示部１０１は、昇降機が移動可能な範囲を示す移動範囲図形を表示画面に表示させる。
次に、ステップＳＴ５０２にて、停止範囲区分部１０２は、昇降機が停止する停止階又は昇降機が停止しない非停止階を示す運行情報に基づいて、移動範囲図形における、昇降機が停止する範囲を示す１又は複数の停止範囲と昇降機が停止しない範囲を示す非停止範囲とを区分する。
次に、ステップＳＴ５０３にて、停止階表示部１０３は、各停止範囲に対応する停止階を示す停止階情報を移動範囲図形における当該停止範囲に並べて表示画面に表示させる。
次に、ステップＳＴ５０４にて、線分表示部１０４は、各停止範囲に対応する停止階を示す線分を、表示画面における垂直方向に伸びる直線に重なるように、移動範囲図形における当該停止範囲に並べて当該表示画面に表示させる。
【００８１】
次に、ステップＳＴ５０５にて、停止範囲区分部１０２は、運行情報が更新されたか否かを判別する。
ステップＳＴ５０５にて、停止範囲区分部１０２が、運行情報が更新されたと判定するまでの間、ステップＳＴ５０６にて、昇降機位置表示部１０５は、現在の昇降機の運行状況を示す情報を表示画面に表示させる。
ステップＳＴ５０５にて、停止範囲区分部１０２が、運行情報が更新されたと判定した場合（ステップＳＴ５０５：ＹＥＳ）、表示制御装置１００は、当該フローチャートの処理を終了し、ステップＳＴ５０１に戻って、当該フローチャートの処理を繰り返す。
【００８２】
図６Ａ及び図６Ｂは、実施の形態１に係る表示制御装置１００における図５に示すステップＳＴ５０３の処理の一例を説明するフローチャートである。
【００８３】
まず、ステップＳＴ６０１にて、停止階表示部１０３は、ｎを１に設定する。
次に、ステップＳＴ６０２にて、停止階表示部１０３は、ｎ番目の停止範囲に対応する停止階を示す停止階情報として表示画面に表示される文字の垂直方向の長さｃｎ（長さｃ）が、当該ｎ番目の停止範囲の当該垂直方向の長さｓｎ以下であるか否かを判定する。
【００８４】
ステップＳＴ６０２にて、停止階表示部１０３が、長さｃが長さｓｎ以下であると判定した場合（ステップＳＴ６０２：ＹＥＳ）、ステップＳＴ６０３にて、停止階表示部１０３は、当該ｎ番目の停止範囲に対応する停止階が複数であるか否かを判定する。
【００８５】
ステップＳＴ６０３にて、停止階表示部１０３が、当該ｎ番目の停止範囲に対応する停止階が複数であると判定した場合（ステップＳＴ６０３：ＹＥＳ）、ステップＳＴ６０４にて、停止階表示部１０３は、当該ｎ番目の停止範囲に対応する停止階を示す停止階情報に含まれる最上階情報として表示画面に表示される文字の垂直方向の長さｃｎα（長さｃ）及び当該停止階情報に含まれる最下階情報として表示画面に表示される文字の垂直方向の長さｃｎβ（長さｃ）を加算した長さ（長さｃの２倍の長さ）が、長さｓｎ以下であるか否かを判定する。
【００８６】
ステップＳＴ６０４にて、停止階表示部１０３が、長さｃの２倍の長さが長さｓｎ以下であると判定した場合（ステップＳＴ６０４：ＹＥＳ）、ステップＳＴ６０５にて、停止階表示部１０３は、当該ｎ番目の停止範囲に対応する停止階を示す停止階情報に含まれる最上階情報と最下階情報とを、当該垂直方向において互いに離れた位置に表示させる。
ステップＳＴ６０５の処理の後、ステップＳＴ６１９にて、停止階表示部１０３は、ｎに１を加算する。
更に、停止階表示部１０３は、ステップＳＴ６１９の処理の後、ステップＳＴ６２０にて、ｎの値が停止範囲の総数より大きいか否かを判定する。より具体的には、例えば、運行情報が図４に示す運行情報である場合、実施の形態１における停止階表示部１０３は、ｎの値が１３より大きいか否かを判定する。
ステップＳＴ６２０にて、停止階表示部１０３が、ｎの値が停止範囲の総数より大きいと判定した場合（ステップＳＴ６２０：ＹＥＳ）、図５に示すステップＳＴ５０４の処理を行う。
ステップＳＴ６２０にて、停止階表示部１０３が、ｎの値が停止範囲の総数より大きくない、すなわち、ｎの値が停止範囲の総数以下であると判定した場合（ステップＳＴ６２０：ＮＯ）、ステップＳＴ６０２の処理に戻る。
【００８７】
ステップＳＴ６０４にて、停止階表示部１０３が、長さｃの２倍の長さが長さｓｎ以下でない、すなわち、長さｃの２倍の長さが長さｓｎより長いと判定した場合（ステップＳＴ６０４：ＮＯ）、ステップＳＴ６０６にて、停止階表示部１０３は、当該ｎ番目の停止範囲に対応する停止階を示す停止階情報に含まれる最上階情報と最下階情報とを、１行の文字列により当該ｎ番目の停止範囲に並べて表示させる。
ステップＳＴ６０６の処理の後、停止階表示部１０３は、ステップＳＴ６１９の処理を行う。
【００８８】
ステップＳＴ６０３にて、停止階表示部１０３が、当該ｎ番目の停止範囲に対応する停止階が複数でない、すなわち、当該ｎ番目の停止範囲に対応する停止階が１つであると判定した場合（ステップＳＴ６０３：ＮＯ）、ステップＳＴ６０７にて、停止階表示部１０３は、当該ｎ番目の停止範囲に対応する停止階を示す停止階情報を、当該ｎ番目の停止範囲に並べて表示させる。
ステップＳＴ６０７の処理の後、停止階表示部１０３は、ステップＳＴ６１９の処理を行う。
【００８９】
ステップＳＴ６０２にて、停止階表示部１０３が、長さｃが長さｓｎ以下でない、すなわち、長さｃが長さｓｎより長いと判定した場合（ステップＳＴ６０２：ＮＯ）、ステップＳＴ６０８にて、停止階表示部１０３は、長さｃｎ（長さｃ）が、長さｓｎ及び当該ｎ番目の非停止範囲の当該垂直方向の長さｔｎを加算した長さＨｎ以下であるか否かを判定する。
【００９０】
ステップＳＴ６０８にて、停止階表示部１０３が、長さｃが長さＨｎ以下であると判定した場合（ステップＳＴ６０８：ＹＥＳ）、ステップＳＴ６０９にて、停止階表示部１０３は、当該ｎ番目の停止範囲に対応する停止階を示す停止階情報を、当該ｎ番目の停止範囲に並べて表示させる。より具体的には、ステップＳＴ６０９にて、停止階表示部１０３は、当該ｎ番目の停止範囲に対応する停止階が複数である場合、ｎ番目の停止範囲に対応する停止階を示す停止階情報に含まれる最上階情報と最下階情報とを、１行の文字列により当該ｎ番目の停止範囲に並べて表示させ、当該ｎ番目の停止範囲に対応する停止階が１つである場合、当該停止階を示す停止階情報を、当該ｎ番目の停止範囲に並べて表示させる。
ステップＳＴ６０９の処理の後、停止階表示部１０３は、ステップＳＴ６１９の処理を行う。
【００９１】
ステップＳＴ６０８にて、停止階表示部１０３が、長さｃが長さＨｎ以下でない、すなわち、長さｃが長さＨｎより長いと判定した場合（ステップＳＴ６０８：ＮＯ）、ステップＳＴ６１０にて、停止階表示部１０３は、ｋを１に設定する。
ステップＳＴ６１０の処理の後、ステップＳＴ６１１にて、停止階表示部１０３は、長さｃｎ（長さｃ）が、長さＨｎから長さＨｎ＋ｋまでを順次加算した長さＴｎ〜ｎ＋ｋ以下であるか否かを判定する。
【００９２】
ステップＳＴ６１１にて、停止階表示部１０３が、長さｃが長さＴｎ〜ｎ＋ｋ以下でない、すなわち、長さｃが長さＴｎ〜ｎ＋ｋより長いと判定した場合（ステップＳＴ６１１：ＮＯ）、ステップＳＴ６１２にて、停止階表示部１０３は、ｋに１を加算する。
更に、停止階表示部１０３は、ステップＳＴ６１２の処理の後、ステップＳＴ６１０の処理に戻る。
ステップＳＴ６１１にて、停止階表示部１０３が、長さｃが長さＴｎ〜ｎ＋ｋ以下であると判定した場合（ステップＳＴ６１１：ＹＥＳ）、ステップＳＴ６１３にて、停止階表示部１０３は、ｎ＋ｋ番目の停止範囲に対応する停止階が複数であるか否かを判定する。
ステップＳＴ６１３にて、停止階表示部１０３が、当該ｎ＋ｋ番目の停止範囲に対応する停止階が複数であると判定した場合（ステップＳＴ６１３：ＹＥＳ）、ステップＳＴ６１４にて、停止階表示部１０３は、長さｃｎα（長さｃ）及び長さｃｎβ（長さｃ）を加算した長さ（長さｃの２倍の長さ）が、長さＴｎ〜ｎ＋ｋから長さｔｎ＋ｋを減じた長さ以下であるか否かを判定する。
【００９３】
ステップＳＴ６１４にて、停止階表示部１０３が、長さｃの２倍の長さが、長さＴｎ〜ｎ＋ｋから長さｔｎ＋ｋを減じた長さ以下であると判定した場合（ステップＳＴ６１４：ＹＥＳ）、ステップＳＴ６１５にて、停止階表示部１０３は、当該ｎ＋ｋ番目の停止範囲に対応する停止階を示す停止階情報に含まれる最上階情報と最下階情報とを、当該垂直方向において互いに離れた位置に、且つ、当該ｎ番目から当該ｎ＋ｋ番目までの各停止範囲に対応する停止階を示す全ての停止階情報を当該ｎ番目の停止範囲から当該ｎ＋ｋ番目の停止範囲までに亘る範囲に並べて表示させる。
ステップＳＴ６１５の処理の後、ステップＳＴ６１８にて、停止階表示部１０３は、ｎにｋを加算する。
更に、停止階表示部１０３は、ステップＳＴ６１８の処理の後、ステップＳＴ６１９の処理を行う。
【００９４】
ステップＳＴ６１４にて、停止階表示部１０３が、長さｃの２倍の長さが長さＴｎ〜ｎ＋ｋから長さｔｎ＋ｋを減じた長さ以下でない、すなわち、長さｃの２倍の長さが長さＴｎ〜ｎ＋ｋから長さｔｎ＋ｋを減じた長さより長いと判定した場合（ステップＳＴ６１４：ＮＯ）、ステップＳＴ６１６にて、停止階表示部１０３は、当該ｎ＋ｋ番目の停止範囲に対応する停止階を示す停止階情報に含まれる最上階情報と最下階情報とを含む、当該ｎ番目から当該ｎ＋ｋ番目までの各停止範囲に対応する停止階を示す全ての停止階情報を、１行の文字列により当該ｎ番目の停止範囲から当該ｎ＋ｋ番目の停止範囲までに亘る範囲に並べて表示させる。
停止階表示部１０３は、ステップＳＴ６１６の処理の後、ステップＳＴ６１８の処理を行う。
【００９５】
ステップＳＴ６１３にて、停止階表示部１０３が、当該ｎ＋ｋ番目の停止範囲に対応する停止階が複数でない、すなわち、当該ｎ＋ｋ番目の停止範囲に対応する停止階が１つであると判定した場合（ステップＳＴ６１３：ＮＯ）、ステップＳＴ６１７にて、停止階表示部１０３は、当該ｎ番目から当該ｎ＋ｋ番目までの各停止範囲に対応する停止階を示す全ての停止階情報を、１行の文字列により当該ｎ番目の停止範囲から当該ｎ＋ｋ番目の停止範囲までに亘る範囲に並べて表示させる。
停止階表示部１０３は、ステップＳＴ６１７の処理の後、ステップＳＴ６１８の処理を行う。
【００９６】
以上のように、表示制御装置１００は、昇降機が移動可能な範囲を示す移動範囲図形を表示画面に表示させる移動範囲図形表示部１０１と、昇降機が停止する停止階又は昇降機が停止しない非停止階を示す運行情報に基づいて、移動範囲図形における、昇降機が停止する範囲を示す１又は複数の停止範囲と昇降機が停止しない範囲を示す非停止範囲とを区分する停止範囲区分部１０２と、停止範囲区分部１０２によって区分された各停止範囲について、当該停止範囲に対応する停止階における最上階を示す最上階情報と最下階を示す最下階情報とを含み、且つ、当該停止階における一部の停止階を示す情報を含まない停止階情報を、移動範囲図形における当該停止範囲に並べて表示画面に表示させる停止階表示部１０３と、を備えた。
このように構成することで、表示制御装置１００は、限られた表示領域を有する表示画面に対しても、昇降機の運行状況を俯瞰可能に表示させることができる。
【００９７】
また、表示制御装置１００は、上述の構成に加えて、各停止範囲に対応する停止階を示す線分を、表示画面における垂直方向に伸びる直線に重なるように、移動範囲図形における当該停止範囲に並べて当該表示画面に表示させる線分表示部１０４を備えた。
このように構成することで、表示制御装置１００は、ユーザにとって、表示画面上の表示を、昇降機の停止階と非停止階とをより把握しやすいものとすることができる。
【００９８】
また、表示制御装置１００は、上述の構成に加えて、現在の昇降機の運行状況を示す情報を表示画面に表示させる昇降機位置表示部１０５を備えた。
このように構成することで、表示制御装置１００は、ユーザにとって、表示画面上の表示を、昇降機の現在の運行状況を把握可能なものとすることができる。
【００９９】
また、停止階表示部１０３は、各停止範囲について、当該停止範囲に対応する停止階が１つである場合は、当該１つの停止階を示す停止階情報を、移動範囲図形における当該停止範囲に並べて表示画面に表示させ、当該停止範囲に対応する停止階が２つである場合は、当該２つの停止階における上方の停止階を示す情報を最上階情報とし、また、下方の停止階を示す情報を最下階情報とした停止階情報を、移動範囲図形における当該停止範囲に並べて表示画面に表示させ、当該停止範囲に対応する停止階が３つ以上である場合は、当該３つ以上の停止階における最上階を示す最上階情報と最下階を示す最下階情報とを含み、且つ、当該停止階における一部の停止階を示す情報を含まない停止階情報を、移動範囲図形における当該停止範囲に並べて表示画面に表示させるように構成した。
このように構成することで、表示制御装置１００は、限られた表示領域を有する表示画面に対しても、昇降機の運行状況を俯瞰可能に表示させることができる。
【０１００】
また、停止階表示部１０３は、各停止範囲の表示画面における垂直方向の長さと、停止階情報として当該表示画面に表示される文字の当該垂直方向の長さとに基づいて、又は、各停止範囲の表示画面における垂直方向の長さと、各停止範囲と隣り合う非停止範囲の当該垂直方向の長さと、停止階情報として当該表示画面に表示される文字の当該垂直方向の長さとに基づいて、各停止範囲に対応する停止階を示す停止階情報が互いに重ならないように各停止範囲に対応する停止階を示す停止階情報を表示させるように構成した。
【０１０１】
このように構成することで、表示制御装置１００は、ある停止範囲に対応する停止階を示す停止階情報と、当該停止範囲とは異なる他の停止範囲に対応する停止階を示す停止階情報とが重ならないように各停止階情報を移動範囲図形における当該停止範囲に並べて表示させつつ、限られた表示領域を有する表示画面に対しても、昇降機の運行状況を俯瞰可能に表示させることができる。
また、このように構成することで、表示制御装置１００は、限られた表示領域を有する表示画面に対しても、予め定めされた停止階情報として表示画面に表示される文字の大きさを変えることなく、表示画面に停止階情報を表示させることができる。
【０１０２】
なお、この発明はその発明の範囲内において、実施の形態の任意の構成要素の変形、又は実施の形態において任意の構成要素の省略が可能である。
【産業上の利用可能性】
【０１０３】
この発明に係る表示制御装置は昇降機システム監視装置等の昇降機の運行状況を表示する表示装置に適用することができる。
【符号の説明】
【０１０４】
１０  昇降機システム監視装置、１１  表示部、１２  移動範囲図形記憶部、１３  運行情報記憶部、１４  通信部、１００  表示制御装置、１０１  移動範囲図形表示部、１０２  停止範囲区分部、１０３  停止階表示部、１０４  線分表示部、１０５  昇降機位置表示部、２０１  プロセッサ、２０２  メモリ、２０３  処理回路。
【図１】
0006771710.tif 000002
【図２】
0006771710.tif 000003
【図３】
0006771710.tif 000004
【図４】
0006771710.tif 000005
【図５】
0006771710.tif 000006
【図６Ａ】
0006771710.tif 000007
【図６Ｂ】
0006771710.tif 000008